(57)【要約】【課題】記録媒体を剛体で押える場合と比較して、記録媒体を押える時に発生する叩き音を小さくしつつ、記録媒体を安定して押えることができる記録媒体押え部材、後処理装置及び画像形成装置を提供する。【解決手段】記録媒体押え部材１１６は、本体部１２０と、前記本体部１２０に設けられ、前記本体部１２０よりも硬度が低く、記録媒体を押圧する押圧部１２２と、を有し、前記本体部１２０は、前記押圧部１２２を予め定められた範囲まで屈曲させた場合に前記押圧部１２２が当たる当たり面１５０を有する。【選択図】図７
2018043869.tif 000002
【特許請求の範囲】
【請求項１】
本体部と、
前記本体部に設けられ、前記本体部よりも硬度が低く、記録媒体を押圧する押圧部と、を有し、
前記本体部は、前記押圧部を予め定められた範囲まで屈曲させた場合に前記押圧部が当たる当たり面を有する
記録媒体押え部材。
【請求項２】
前記押圧部は、前記本体部に嵌め込まれている請求項１記載の記録媒体押え部材。
【請求項３】
前記押圧部は、硬度Ｈｓが１５〜７２である請求項１又は２記載の記録媒体押え部材。
【請求項４】
前記押圧部は、硬度Ｈｓが２５〜３５である請求項１又は２記載の記録媒体押え部材。
【請求項５】
前記押圧部は、前記押圧部が屈曲することにより記録媒体に徐々に接触する接触面を有し、前記押圧部が屈曲する前に前記押圧部が記録媒体に接触した時の前記接触面の長手方向の接線と記録媒体とのなす角度が９０度未満である請求項１から４いずれか記載の記録媒体押え部材。
【請求項６】
記録媒体を排出する排出部と、
前記排出部を重力方向に移動するように制御する移動制御部と、
前記排出部に排出された記録媒体を押える記録媒体押え部材とを有し、
前記記録媒体押え部材は、
本体部と、
前記本体部に設けられ、前記本体部よりも硬度が低く、前記排出部上の記録媒体を押圧する押圧部と、を有し、
前記本体部は、前記押圧部を予め定められた範囲まで屈曲させた場合に前記押圧部が当たる当たり面を有する
後処理装置。
【請求項７】
記録媒体に画像を形成する画像装置本体と、
前記画像形成本体部により画像が形成された記録媒体に対して後処理を施す後処理装置とを有し、
前記後処理装置は、
記録媒体を排出する排出部と、
前記排出部を重力方向に移動するように制御する移動制御部と、
前記排出部に排出された記録媒体を押える記録媒体押え部材とを有し、
前記記録媒体押え部材は、
本体部と、
前記本体部に設けられ、前記本体部よりも硬度が低く、前記排出部上の記録媒体を押圧する押圧部と、を有し、
前記本体部は、前記押圧部を予め定められた範囲まで屈曲させた場合に前記押圧部が当たる当たり面を有する
画像形成装置。
【発明の詳細な説明】
【技術分野】
【０００１】
本発明は、記録媒体押え部材、後処理装置及び画像形成装置に関する。
【背景技術】
【０００２】
特許文献１は、シート搬出方向に排紙口、処理トレイ、スタックトレイの順に配置した装置構成において処理トレイからスタックトレイにシート束を搬出するときにシート束に位置ズレが発生することがなく円滑にシートを搬出収納することが可能とするため、処理トレイからスタックトレイにシート束を搬出する際に、スタックトレイの最上シートと処理トレイの紙載面との高低差を、排紙口から処理トレイにシートを搬入するときの高低差及び、又は排紙口からスタックトレイに直接シートを搬出するときの高低差より大きくなるように昇降シフト手段を制御するようにしたシート処理装置を開示する。
【０００３】
特許文献２は、排紙トレイ上に積載収容される用紙の綴じ部分が盛り上がることにより発生するおそれのある紙詰まり、収容不良などの不具合を防止するため、排紙トレイ上に積載収容される用紙Ｐの綴じ部分が盛り上がることにより発生する落差が所定量以上になることを検知できる第２センサを設け、その検知情報が得られたときに排紙トレイへのこれ以上の積載収容を禁止するか或いはこれ以上の積載収容が不可能であることを警告する監視手段を設けた後処理装置を開示する。
【０００４】
特許文献３は、簡単な構成及び低コストで多量のシートを精度良く揃えることを可能とするため、排出トレイ部材は、少なくともシート載置部材側が上下方向に移動自在に支持され、後処理が施されたシートを積載する底板部と、この底板部を上方に付勢する付勢手段と、前記底板部上に積載されたシートの上面を押圧して前記付勢手段の上方向への付勢を一定の位置に規制する規制手段とを備えるように構成したシート後処理装置を開示する。
【先行技術文献】
【特許文献】
【０００５】
【特許文献１】特開２０１２−１８４１１４号公報
【特許文献２】特開２００１−３２２７６２号公報
【特許文献３】特開平１０−１２０２７６号公報
【発明の概要】
【発明が解決しようとする課題】
【０００６】
本発明は、記録媒体を剛体で押える場合と比較して、記録媒体を押える時に発生する叩き音を小さくしつつ、記録媒体を安定して押えることができる記録媒体押え部材、後処理装置及び画像形成装置を提供することを目的とする。
【課題を解決するための手段】
【０００７】
請求項１に係る本発明は、本体部と、前記本体部に設けられ、前記本体部よりも硬度が低く、記録媒体を押圧する押圧部と、を有し、前記本体部は、前記本体部は、前記押圧部を予め定められた範囲まで屈曲させた場合に前記押圧部が当たる当たり面を有する記録媒体押え部材である。
【０００８】
請求項２に係る本発明は、前記押圧部は、前記本体部に嵌め込まれている請求項１記載の記録媒体押え部材である。
【０００９】
請求項３に係る本発明は、前記押圧部は、硬度Ｈｓが１５〜７２である請求項１又は２記載の記録媒体押え部材である。
【００１０】
請求項４に係る本発明は、前記押圧部は、硬度Ｈｓが２５〜３５である請求項１又は２記載の記録媒体押え部材である。
【００１１】
請求項５に係る本発明は、前記押圧部は、前記押圧部が屈曲することにより記録媒体に徐々に接触する接触面を有し、前記押圧部が屈曲する前に前記押圧部が記録媒体に接触した時の前記接触面の長手方向の接線と記録媒体とのなす角度が９０度未満である請求項１から４いずれか記載の記録媒体押え部材である。
【００１２】
請求項６に係る本発明は、記録媒体を排出する排出部と、前記排出部を重力方向に移動するように制御する移動制御部と、前記排出部に排出された記録媒体を押える記録媒体押え部材とを有し、前記記録媒体押え部材は、本体部と、前記本体部に設けられ、前記本体部よりも硬度が低く、前記排出部上の記録媒体を押圧する押圧部と、を有し、前記本体部は、前記押圧部を予め定められた範囲まで屈曲させた場合に前記押圧部が当たる当たり面を有する後処理装置である。
【００１３】
請求項７に係る本発明は、記録媒体に画像を形成する画像装置本体と、前記画像形成本体部により画像が形成された記録媒体に対して後処理を施す後処理装置とを有し、前記後処理装置は、記録媒体を排出する排出部と、前記排出部を重力方向に移動するように制御する移動制御部と、前記排出部に排出された記録媒体を押える記録媒体押え部材とを有し、前記記録媒体押え部材は、本体部と、前記本体部に設けられ、前記本体部よりも硬度が低く、前記排出部上の記録媒体を押圧する押圧部と、を有し、前記本体部は、前記押圧部を予め定められた範囲まで屈曲させた場合に前記押圧部が当たる当たり面を有する画像形成装置である。
【発明の効果】
【００１４】
請求項１に記載の本発明によれば、記録媒体を剛体で押える場合と比較して、記録媒体を押える時に発生する叩き音を小さくしつつ、記録媒体を安定して押えることができる記録媒体押え部材を提供することができる。
【００１５】
請求項２に係る本発明によれば、請求項１に係る本発明の効果に加えて、押圧部が屈曲する際に押圧部が本体部から外れるのを防止することができる。
【００１６】
請求項３に係る本発明によれば、硬度が１５〜７２以外の場合と比較して、押圧部に適度な柔軟性を持たせることができる。
【００１７】
請求項４に係る本発明によれば、請求項１又は２に係る本発明の効果に加えて、硬度が２５〜３５以外である場合と比較して、押圧部にさらに適度な弾性を持たせることができる。
【００１８】
請求項５に係る本発明によれば、請求項１から４いずれかに係る本発明の効果に加え、記録媒体に対して徐々に押圧力を作用させることができる。
【００１９】
請求項６に係る本発明によれば、記録媒体を剛体で押える場合と比較して、記録媒体を押える時に発生する叩き音を小さくしつつ、記録媒体を安定して押えることができる後処理装置を提供することができる。
【００２０】
請求項７に係る本発明によれば、記録媒体を剛体で押える場合と比較して、記録媒体を押える時に発生する叩き音を小さくしつつ、記録媒体を安定して押えることができる画像形成装置を提供することができる。
【図面の簡単な説明】
【００２１】
【図１】本発明の実施形態に係る画像形成装置を示す側面断面図である。
【図２】本発明の実施形態に係る後処理装置の要部を示し、クランプロールを含む断面図である。
【図３】本発明の実施形態に係る後処理装置の要部を示し、サブパドルを含む断面図である。
【図４】本発明の実施形態に係る後処理装置の動作例を示す断面図であり、（ａ）は記録媒体が積載部から排出される前の状態を示し、（ｂ）は記録媒体を積載部から排出を開始した状態を示し、（ｃ）は記録媒体を積載部から排出する直前の状態を示す。
【図５】本発明の実施形態に用いた本体部を示す側面図である。
【図６】本発明の実施形態に用いた押圧部を示す側面図である。
【図７】本発明の実施形態に係る記録媒体押え部材を示す側面図である。
【図８】本発明の実施形態に係る記録媒体押え部材の作用を説明するための側面図であり、（ａ）は押圧部が屈曲する前の押圧部が記録媒体に接触した状態を示し、（ｂ）は押圧部が屈曲して本体部の当たり面に当たっている状態を示す。
【発明を実施するための形態】
【００２２】
以下、図面を参照して本発明の実施形態を説明する。
なお、図面において、前後方向をＸ軸方向、左右方向をＹ軸方向、上下方向をＺ軸方向とし、矢印Ｘ、−Ｘ、Ｙ、−Ｙ、Ｚ、−Ｚで示す方向または示す側をそれぞれ、前方、後方、右方、左方、上方、下方、または、前側、後側、右側、左側、上側、下側とする。また、「○」の中に「・」が記載されたものは紙面の裏から表に向かう矢印を意味し、「○」の中に「×」が記載されたものは、紙面の表から裏に向かう矢印を意味する。
【００２３】
画像形成装置１０は、画像読取装置１２、給紙装置１４、ユーザインターフェイス１６、画像形成装置本体１８及び後処理装置２０とを有する。
【００２４】
画像読取装置１２は、給紙装置１４の上方に配置されている。また、給紙装置１４の右側に画像形成装置本体１８が配置されている。ユーザインターフェイス１６は、例えば給紙装置１４の上部に支持されている。画像形成装置本体１８の右側に後処理装置２０が配置されている。
【００２５】
画像読取装置１２は、原稿を供給する原稿供給部２２と、この原稿供給部２２から供給された原稿を読み取る原稿読取部２４とを有し、読み取った原稿画像データを画像形成装置本体１８に送るようになっている。
【００２６】
給紙装置１４は、多数の記録媒体を収容する記録媒体収容部２６が例えば４段となって上下方向に配置されている。各記録媒体収容部２６には、収容された最上位の記録媒体を送り出す送出しロール２８及び送り出された記録媒体を搬送する搬送ロール３０が設けられている。記録媒体収容部２６のいずれか一つが選択され、選択された記録媒体収容部２６の記録媒体が第一の搬送路３２に搬送される。第一の搬送路３２には複数の搬送ロール３４が設けられている。第一の搬送路３２は、後述する画像形成装置本体１８の第二の搬送路３４に接続されている。
【００２７】
ユーザインターフェイス１６は、表示パネル３６と、コピースタート、テンキー、コピー枚数の入力キー等のボタンが配置された操作部３８とを有する。
【００２８】
画像形成装置本体１８は、上部に現像剤供給装置４０が配置されている。この現像剤供給装置４０の下方には、ＹＭＣＫ各色用の４つのレーザ書込み装置４２が設けられている。さらに各レーザ書込み装置４２の下方に像保持体としての感光体４４がそれぞれ配置されている。感光体４４の周囲には、帯電器４６、現像器４８、一次転写ロール５０及び清掃器５２が配置されている。帯電器４６で帯電された感光体４４には、レーザ書込み装置４２からのレーザにより潜像が形成され、この潜像が現像器４８により現像され、この現像されたトナー像が一次転写ロール５０により後述する中間転写ベルト５４に転写される。感光体４４に残存するトナーは清掃器５２によりかき落とされる。
【００２９】
中間転写ベルト５４は、一次転写ロール５０、バックアップロール５６及び複数の支持ロール５８により支持されている。一次転写ロール５０は、中間転写ベルト５４を挟んで感光体４４に対向している。バックアップロール５６は、中間転写ベルト５４を挟んで二次転写ロール６０に対向している。一次転写ロール５０により中間転写ベルト５４に転写されたトナー像は、二次転写ロール６０により、第二の搬送路３４を介して搬送された記録媒体に転写される。
【００３０】
第二の搬送路３４は、複数の搬送ロール６１によりバックアップロール５６と二次転写ロール６０との間に記録媒体を供給し、後述する定着装置６２を介し、複数の搬送ロール６４により後処理装置２０へ記録媒体を搬送する搬送路である。二次転写ロール６０と定着装置６２との間には搬送ベルト６６が設けられている。
【００３１】
定着装置６２は、加熱ロール６８と加圧ロール７０とを有し、記録媒体に転写されたトナー像を熱と圧力により記録媒体に定着するようになっている。
【００３２】
後処理装置２０は、第三の搬送路７２が右側に延びるように形成されている。この第三の搬送路７２は、画像形成装置本体１８の第二の搬送路３４に接続されている。第三の搬送路７２は、後流側で上方へ延びる第四の搬送路７４と、さらに右側へ延びる第五の搬送路７６とに分岐している。第四の搬送路７４と第五の搬送路７６との分岐部分には切替部材７８が設けられている。
【００３３】
第四の搬送路７４の後端には、第一の排出ロール８０が設けられている。この第一の排出ロール８０の右側には第一の排出部８２が配置されている。また、第五の搬送路７４の右端には、第二の排出ロール８４が設けられている。この第二の排出ロール８４の下方には端綴じ装置８６が配置されている。さらに後処理装置２０の右端には、第二の排出部８８が設けられている。この第二の排出部８８は、昇降装置（移動制御部）９０に連結され、上下方向に移動可能であるようにしてある。
【００３４】
後処理装置２０について、図２及び図３を用いてさらに詳細に説明する。
【００３５】
図２及び図３において、第二の排出ロール８４の上流側で第五の搬送路７４には、排出センサ９２が配置されている。端綴じ装置８６は、処理用の積載部９４を有する。この積載部９４は、右側が上方となるように水平に対して緩傾斜している。積載部９４には、タンパ９６が前後方向に備えられている。このタンパ９６は、前後方向に移動して記録媒体の幅方向を揃える。
【００３６】
積載部９４の左下には、記録媒体の搬送方向の端を揃えるための後壁９８が設けられている。この後壁９８の上方には、メインバトル１００が回転可能に支持されている。このメインバトル１００により、積載部９４に入った記録媒体の後端が後壁９８に突き当てられるように記録媒体が引き込まれる。
【００３７】
後壁９８の左下方には、ガイド１０２が支持されている。このガイド１０２は、後壁１００に沿って前後方向に延びている。このガイド１０２にステープラ１０５がガイド１０２に案内されて前後方向に移動可能であるようになっている。
【００３８】
積載部９４の右上方には、前後方向に延びる排出軸１０４が回転可能に設けられている。この排出軸１０４には、第三の排出ロール１０６が支持されている。この第三の排出ロール１０６は、図示しない駆動源により正逆回転できるようになっている。この第三の排ロール１０６に対して排出方向の上流側には、積載部９４の記録媒体を検出する積載センサ１０８が配置されている。
【００３９】
図２において、第三の排出ロール１０６の上方には、クランプロール１１０が配置されている。このクランプロール１１０は、腕部１１２に回転自在に支持され、腕部１１２を回転することで、図２の実線で示すように、第三の排出ロール１０６から離れた上昇位置と、図２の点線で示すように、第三の排出ロール１０６に記録媒体を挟んで接触する下降位置とに移動自在となっている。
【００４０】
図３において、積載部９４の上方には、クランプロール１１０とは前後方向にずれた位置に、サブパドル１１４が設けられている。このサブパドル１１４は、積載部９４から離間する図３の実線で示す上昇位置と、積載部９４に積載された記録媒体に接触する図３の点線で示す下降位置との間で昇降可能なように構成されている。
【００４１】
記録媒体押え部材１１６は、第三の排出ロール１０６の下方に設けられている。記録媒体押え部材１１６は、回転軸１１８に例えば３個前後方向に間隔を空けて設けられている。この記録媒体押え部材１１６は、図２及び図３に示すように、後処理装置２０のカバーから後退した位置と、第二の排出部８８に排出された記録媒体を押える位置とに動かされる。
なお、記録媒体押え部材１１６の詳細は後述する。
【００４２】
次に上記後処理装置２０の動作例について説明する。
【００４３】
図２及び図３において、画像形成装置本体１８から第三の搬送路７２に入った記録媒体は、切替部材７８が第四の搬送路７４を閉じ、第五の搬送路７６を開く位置にある場合は、第五の搬送路７６に導かれる。第五の搬送路７６に導かれた記録媒体は、第二の排出ロール８４により端閉じ装置８６の積載部９４に搬入される。このとき、束にされる最初の一枚目の記録媒体が排出センサ９２を通過した場合に、予め設定された時間経過後に、第三の排出ロール１０６が逆回転する。また、クランプロール１１０が下降する。よって、積載部９４に搬入された一枚目の記録媒体は、第三の排出ロール１０６とクランプロール１１０に挟まれてメインパドル１００側に引き込まれる。なお、その後、第三の排出ロール１０６は停止し、クランプロール１１０は上昇して退避する。メインパドル１００は、記録媒体を後壁９８に突き当て、記録媒体の搬送方向後端を揃える。記録媒体の後端が揃えられると、タンパ９６が作動して記録媒体の幅方向の端が揃えられる。
【００４４】
束にされる二枚目以降の記録媒体が積載部９４に搬入される場合は、記録媒体が排出センサ９２を通過して予め設定された時間経過後に、サブパドル１１４が下降する。サブパドル１１４が下降すると、サブパドル１１４は、搬入済みの記録媒体の上方に記録媒体をメインパドル１００側に引き込む。よって、二枚目以降の記録媒体もメインパドル１００で後壁９８に突き当てられ、記録媒体の搬送方向の後端が揃えられる。記録媒体の搬送方向後端が揃えられると、タンパ９４が作動して、記録媒体の幅方向の端が揃えられる。
【００４５】
ここで、ステープラ１０５を動作させない整合モードと、ステープラ１０５を動作させてするステープルモードとがある。整合モードの場合は、上述したように、記録媒体を揃えて束として整合が終了すると、タンパ９６が作動して記録媒体の束を積載済みの記録媒体の束から幅方向をずらす。一方、ステープルモードの場合は、ステープラ１０５を作動させて記録媒体の束の端をステープルし、その後に記録媒体の束を幅方向にずらす。
【００４６】
図４（ａ）に示すように、いずれの場合も積載部９４から記録媒体の束を排出するときは、クランプロール１１０が下降し、第三の排出ロール１０６とクランプロール１１０により記録媒体の束を挟む。記録媒体の束を挟むと、第三の排出ロール１０６が正転し、記録媒体の束が第二の排出部８８へ向けて排出を開始する。このときは、記録媒体押え部材１１６は、上昇した位置にある。
【００４７】
次に、図４（ｂ）に示すように、記録媒体の束の後端が積載センサ１０８を通過した時、あるいは予め設定された時間第三の排出ロール１０６を回転させた時に記録媒体押え部材１１６が下降して第二の排出部８８に排出されている記録媒体の束を押える。これにより積載部９４から排出される記録媒体の束の排出側先端が自重により垂れ下がり、積載済みの記録媒体に接触して位置をずらすのを防止する。
【００４８】
次に、図４（ｃ）に示すように、記録媒体の束が第二の排出部８８に排出終了直前に記録媒体押え部材１１６が上昇して記録媒体の束との干渉を避けるようにする。
【００４９】
一つの記録媒体の束が第二の排出部８８に排出される毎に第二の排出部８８は昇降装置９０により排出した記録媒体の厚さに応じて下降し、次の排出に備える。
【００５０】
次に記録媒体押え部材１１６について詳述する。
【００５１】
記録媒体押え部材１１６は、図５に示す本体部１２０と、図６に示す押圧部１２２とから構成されている。
【００５２】
本体部１２０は、樹脂や金属から構成され、回転軸取付け部１２４と押圧部取付け部１２６とが略９０度隔てるように曲げられている。回転軸取付け部１２４には、前述した回転軸１１８に取り付けるための回転軸取付け用孔１２８が形成されている。また、押圧部取付け部１２６には、押圧部１２２を取り付けるための押圧部取付け用孔１３０が形成されている。
【００５３】
押圧部取付け用孔１３０は、回転軸取付け用孔１２８側で先端方向に向けて開口し、また回転軸の軸方向の一方向側が開口し、他方側は、押圧部１２２の一方の側面が当たるように閉じられている。
【００５４】
押圧部取付け用孔１３０は、先端側に形成された第一の曲面部１３２と、後端側に形成された第二の曲面部１３４と、第一の曲面部１３２及び第二の曲面部１３４を接続するように奥側に形成された第一の平面部１３６とを有する。第一の平面部１３６には、被位置決め部１３８が例えば凹状に形成されている。
【００５５】
一方、押圧部１２２は、本体部１２０よりも硬度が低い材料、例えばゴムから構成されている。ＪＩＳスプリング式硬度Ｈｓで１５〜７０であれば良い。さらに硬度Ｈｓが２５〜３５であればさらに良い。クロロプレンゴム、ニトリロゴム、天然ゴム、エチレン・プロピレン・ジエンゴム（ＥＰＤＭ）等を使用することができる。
【００５６】
押圧部１２２は、先端側に形成された第三の曲面部１４０と、後端側に形成された第四の曲面部１４２と、第三の曲面部１４０及び第四の曲面部１４２とを接続する第二の平面部１４４とを有する。第二の平面部１４４には、位置決め部１４６が例えば凸状に形成されている。さらに押圧部１２２は、第三の曲面部１４０及び第四の曲面部１４２から先端側に延びる延出部１４８が形成されている。
【００５７】
そして、図７に示すように、記録媒体押え部材１１６は、本体部１２０の押圧部取付け用孔１３０に押圧部１２２を嵌め込むことによって構成される。本体部１２０の第一の曲面部１３２に押圧部１２２の第三の曲面部１４０が接し、本体部１２０の第二の曲面部１３４に押圧部１２２の第四の曲面部１４２が接し、本体部１２０の第一の平面部１３６に押圧部１２２の第二の平面部１４４が接する。本体部１２０の被位置決め部１３８に押圧部１２２の位置決め部１４６が嵌り、本体部１２０に対する押圧部１２２の位置を決めるようにしてある。
【００５８】
また、押圧部１２２の延出部１４８は、本体部１２０の押圧部取付け用孔１３０から突出するようになっている。
【００５９】
また、本体部１２０の第一の曲面部１３２には、押圧部１２２が予め定められた範囲まで屈曲した場合に当たる当たり面１５０を有する。即ち、図８（ａ）に示すように、記録媒体を押圧する前においては、押圧部１２２の第三の曲面部１４０と本体部１２０の当たり面１５０との間には隙間があるが、図８（ｂ）に示すように、押圧部１２２予め定められた範囲まで屈曲した場合には押圧部１２２の第三の曲面部１４０が当たり面１５０に当たるようになっている。
【００６０】
また、図８（ｂ）に示すように、押圧部１２２の延出部１４８の記録媒体側には、押圧部１２２が屈曲することにより記録媒体に徐々に接触する接触面１５２が形成されている。図８（ａ）に示すように、押圧部１２２が屈曲される前で押圧部１２２が記録媒体に接触した時の接触面１５２の長手方向接線と記録媒体とのなす角度αは９０度未満であるように設定されている。
【００６１】
次に記録媒体押え部材１１６の作用について説明する。
図８（ａ）に示すように、記録媒体を押える場合、最初に接触するのは、押圧部１２２の回転軸側角部であり、前述したように接触面１５２と記録媒体の長手方向接線とのなす角度αが９０度未満であるから、押圧部１２２は屈曲しながら、この角部から徐々に記録媒体に接触する接触面１５２が記録媒体に接触する。押圧部１２２が屈曲変形するので、記録媒体押え部材１１６の叩き音の発生は小さくなる。
【００６２】
さらに記録媒体押え部材１１６が回転すると、本体部１２０の当たり面１５０に押圧部１２２が当たる。このタイミングで記録媒体押え部材１１６が停止する。記録媒体押え部材１１６が停止すると、記録媒体は、押圧部１２２の屈曲が制限され、押圧部１２２の圧縮に伴う略一定の押圧力で記録媒体を押圧するようになり、記録媒体をしっかりと安定して押えるようになる。
【００６３】
なお、上記実施形態の説明にあたっては、記録媒体押え部材は、後処理装置の昇降する排出部に排出された記録媒体を押えるものとしたが、本発明はこれに限定されるものではなく、例えば通常の排出部に排出される記録媒体を押えたり、原稿送り装置にあって排出部に排出された原稿を押えるものとして利用することもできる。
【符号の説明】
【００６４】
１０  画像形成装置
１８  画像形成装置本体
２０  後処理装置
８２  第一の排出部
８８  第二の排出部
１１６  記録媒体押え部材
１２０  本体部
１２２  押圧部
１３０  押圧部取付け用孔
１５０  当たり面
１５２  接触面
【図１】
2018043869.tif 000003
【図２】
2018043869.tif 000004
【図３】
2018043869.tif 000005
【図４】
2018043869.tif 000006
【図５】
2018043869.tif 000007
【図６】
2018043869.tif 000008
【図７】
2018043869.tif 000009
【図８】
2018043869.tif 000010